(57)【要約】【課題】映画の映像部分および字幕を含む領域について、字幕の全ておよびできる限り多くの映像部分を表示することが可能な映像表示装置を提供する。【解決手段】映像信号を入力する入力部と、入力された映像信号の水平同期信号、垂直同期信号、ドットクロック周波数を計測する計測部と、計測部における計測結果から信号種を判別する判別部と、映像中のレターボックスを検出するレターボックス検出部と、映像中の字幕を検出する字幕検出部と、信号種の判別結果およびレターボックスの検出結果および字幕の検出結果に基づき映像を解像度変換する変換部と、拡大された映像を表示する表示部と、を備え、変換部において、レターボックスを除く領域の全域および字幕を含む最小の領域を自動的に求め、求めた領域に基づき映像を解像度変換する、ことを特徴とする映像表示装置である。【選択図】図１
2010237395.tif 000002
【特許請求の範囲】
【請求項１】
外部より映像信号を入力する入力部と、
入力された映像信号の水平同期信号および垂直同期信号およびドットクロック周波数を計測する計測部と、
計測部における計測結果から信号種を判別する判別部と、
映像中のレターボックスを検出するレターボックス検出部と、
映像中の字幕を検出する字幕検出部と、
信号種の判別結果およびレターボックスの検出結果および字幕の検出結果に基づき映像を解像度変換する変換部と、
拡大された映像を表示する表示部と、
を備え、
変換部において、レターボックスを除く領域の全域および字幕を含む最小の領域を自動的に求め、求めた領域に基づき映像を解像度変換する、
ことを特徴とする映像表示装置。
【発明の詳細な説明】
【技術分野】
【０００１】
本発明は映像表示装置に関するものであり、特に、入力された映像信号に対して映像領域を限定して解像度変換を行う映像表示装置に関する。
【背景技術】
【０００２】
ブラウン管や、プラズマディスプレイ・液晶ディスプレイに代表されるフラットパネルディスプレイは、その技術の進展に伴い、従来の縦横比４：３（横：縦）の映像信号だけでなく縦横比１６：９（横：縦）の映像信号が規格化されて一般に広まっている。
【０００３】
また、フラットパネルディスプレイがパソコンと接続されるケースが増え、様々な縦横比・解像度の信号がディスプレイに入力されている。
【０００４】
そこで、ディスプレイ固有の解像度・縦横比とは異なる解像度・縦横比の信号を表示する技術が発表されている（例えば、特許文献１参照）。
【特許文献１】特許第３７９７８３８号公報
【発明の開示】
【発明が解決しようとする課題】
【０００５】
ところで、一般的なディスプレイの縦横比は、４：３または１６：９であるのに対し、映画における映像信号の縦横比は２．３５：１（シネマスコープ）などが代表的であり、ディスプレイの縦横比よりも横に長い。そのため、映画コンテンツは上下にレターボックスを含む映像としてディスプレイに表示され、字幕表示を必要とする場合には下側のレターボックスに表示するケースが一般的である。
【０００６】
しかし、ディスプレイの表示部において常に上部のレターボックスおよび下部レターボックスの字幕よりも外の領域の表示となる部分が広く存在するため、ディスプレイの表示部を十分に活用できていない。また表示領域を可変する従来技術があるが、映像部分・字幕をできるだけ含むように表示領域を調節する操作はユーザが行わなければならない。
【０００７】
本発明はこのような現状に鑑みなされたもので、映画の映像部分および字幕を含む領域について、字幕の全ておよびできる限り多くの映像部分を表示することが可能な映像表示装置を提供することを目的とする。
【課題を解決するための手段】
【０００８】
上記の課題を実現するために本発明の映像表示装置は、外部より映像信号を入力する入力部と、入力された映像信号の水平同期信号および垂直同期信号およびドットクロック周波数を計測する計測部と、計測部における計測結果から信号種を判別する判別部と、映像中のレターボックスを検出するレターボックス検出部と、映像中の字幕を検出する字幕検出部と、信号種の判別結果およびレターボックスの検出結果および字幕の検出結果に基づき映像を解像度変換する変換部と、拡大された映像を表示する表示部と、を備え、変換部において、レターボックスを除く領域の全域および字幕を含む最小の領域を自動的に求め、求めた領域に基づき映像を解像度変換する、ことを特徴とするものである。
【発明の効果】
【０００９】
本発明によれば、映画の映像部分および字幕を含む領域について、字幕の全ておよびできる限り多くの映像部分を表示することが可能な映像表示装置を提供できる。
【発明を実施するための最良の形態】
【００１０】
以下、図を用いて本発明の一実施の形態による映像表示装置について説明する。
【００１１】
図１は、本発明の一実施の形態による映像表示装置の概略構成を示すブロック図である。
【００１２】
入力部１０１は外部より入力される映像信号を受け、計測部１０２は入力された映像信号の水平同期信号および垂直同期信号およびドットクロック周波数を計測する。
【００１３】
判別部１０３は信号種ごとに水平同期信号および垂直同期信号およびドットクロック周波数の対応表をもち、計測部１０２の計測結果に基づき入力された映像信号の信号種を判別する。
【００１４】
レターボックス検出部１０４は、上部レターボックスライン数候補および下部レターボックスライン数候補の値をそれぞれ複数を保持するメモリ領域を持つ。入力された映像信号の各ラインについて輝度レベルを観測し、各ラインにおける平均輝度レベルを算出する。平均輝度レベルに閾値を定義し、平均輝度レベルが閾値以下のラインをレターボックス候補とする。ライン数に閾値を定義し、Ｖ同期の直後から各ラインの平均輝度レベルを観測し、レターボックス候補でないラインが閾値以上続いたら、最後のレターボックス候補のライン数を、上部レターボックスライン数候補として、メモリに保持する。レターボックス候補でないラインが閾値以上続くことなく次のＶ同期に達した場合には、何もしない。
【００１５】
上部レターボックスライン数候補をメモリに追加した後、以降のラインについて平均輝度レベルを算出し、別のライン数閾値を定義し、閾値以上レターボックス候補のラインが連続したら、それらのうち最初のレターボックス候補のライン数を下部レターボックスライン数候補とし、値をメモリに保持し、レターボックス検出フラグを立てる。レターボックス候補のラインが閾値以上連続しない場合には、Ｖ同期直前のライン数の値をメモリに保持する。
【００１６】
以上の操作を複数のフィールドについて観測し、上部レターボックスライン数候補および下部レターボックスライン数候補をそれぞれ複数メモリに保持する。保持された複数の上部レターボックスライン数候補の中央値を上部レターボックスライン数とし、下部レターボックスライン数候補の中央値を下部レターボックスライン数とする。
【００１７】
字幕検出部１０５は、字幕検出用のメモリを有し、レターボックス検出部１０４においてレターボックス検出フラグが立った場合に下部レターボックス付近の字幕を検出する。
【００１８】
ライン閾値１とライン閾値２を内部に定義し、下部レターボックスライン数よりライン閾値１だけ上部のラインから、下部レターボックスライン数よりライン閾値２だけ下部のラインまでを、字幕検出対象領域とする。また、字幕輝度閾値および字幕画素隣接判定基準を持ち、字幕輝度閾値以上の画素が隣接する領域を検出する。複数フレームにおいて字幕輝度閾値以上の画素が隣接する領域を観測し、領域中で最も下のラインに属する画素を複数個検出する。検出した画素を含むラインを字幕下限ライン数とする。
【００１９】
変換部１０６は、判別部１０３の信号種判別結果に基づき、映像の水平解像度が表示部１０７の水平解像度に一致するよう、映像を水平方向に拡大または縮小する。又、レターボックス検出部１０４の下部レターボックスライン数と、字幕検出部１０５の字幕下限ライン数の値を比較し、値の大きな方の数値を表示下限ラインとする。水平方向に拡大した映像のうち、上部レターボックスライン数から表示下限ラインまでの領域を、表示部１０７の垂直解像度に一致するよう、垂直方向に拡大または縮小する。
【００２０】
表示部１０７は、変換部１０６において解像度変換した映像信号を表示する。
【００２１】
以上の処理により、映画の映像部分および字幕を含む領域について、字幕の全ておよび映像部分の全てを表示することが可能となる。
【産業上の利用可能性】
【００２２】
以上のように本発明は、ブラウン管、ＬＣＤ、プラズマディスプレイなど、映像表示装置を提供する上で有用な発明である。
【図面の簡単な説明】
【００２３】
【図１】本発明の一実施の形態による映像表示装置の概略構成を示すブロック図
【符号の説明】
【００２４】
１０１  入力部
１０２  計測部
１０３  判別部
１０４  レターボックス検出部
１０５  字幕検出部
１０６  変換部
１０７  表示部
【図１】
2010237395.tif 000003